(57)【特許請求の範囲】
【請求項１】
モジュール式取付システムであって、
取付部分品対合区域とコード接続区域とを有するとともに、底部部片と、かしめアームを含み底部部片に対して回転可能に連結された頂部部片とを備えるベース部分品と、
ベース部分品対合区域を有する取付部分品と、を含み、
取付部分品対合区域とベース部分品対合区域との係合によって、ベース部分品が取付部分品と結合し、ベース部分品がコード接続区域を介してコードと接続され、
前記かしめアームは、先端が底部部片と対向し、コードが当該先端と底部部片との間で挟まれると、コードに加わる引張力により頂部部片に閉方向への回転力が生じ、
コード接続区域は、コードに加わる引張力によって、頂部部片と底部部片が連結されるように構成されることを特徴とするモジュール式取付システム。
【請求項２】
頂部部片と底部部片とを閉位置で連結するとベース部分品が形成される、請求項１に記載のモジュール式取付システム。
【請求項３】
頂部部片が、少なくとも１つの突起ピンおよび受け穴によって底部部片に回転可能な状態で接続され、ベース部分品は、頂部部片を回転し、閉位置で底部部片と連結させることによって形成される、請求項２に記載のモジュール式取付システム。
【請求項４】
取付部分品がクリップ・フックを備える、請求項１に記載のモジュール式取付システム。
【請求項５】
取付部分品がグリッパを備える、請求項１に記載のモジュール式取付システム。
【請求項６】
ベース部分品と取付部分品との少なくとも一方が成形プラスチックで構成される、請求項１に記載のモジュール式取付システム。
【請求項７】
物体保持および表示システムであって、
コードと、
コードと結合されたモジュール式取付システムとを備え、
モジュール式取付システムは、
コード接続区域および取付部分品対合区域を有するとともに、底部部片と、かしめアームを含み底部部片に対して回転可能に連結された頂部部片とを備えるベース部分品と、
ベース部分品対合区域を有する取付部分片と、を含み、
ベース部分品対合区域と取付部分品対合区域とを係合させることによって、ベース部分品が取付部分品に結合され、ベース部分品がコード接続区域を介してコードと結合され、
前記かしめアームは、先端が底部部片と対向し、コードが当該先端と底部部片との間で挟まれると、コードに加わる引張力により頂部部片に閉方向への回転力が生じ、
コード接続区域は、コードに加わる引張力によって、頂部部片と底部部片が連結されるように構成されることを特徴とする物体保持および表示システム。
【請求項８】
取付部分品がスナップ・クリップを備える、請求項７に記載の物体保持および表示システム。
【請求項９】
取付部分品がグリッパを備える、請求項７に記載の物体保持および表示システム。
【請求項１０】
ベース部分品と取付部分品との少なくとも一方が成形プラスチックで構成される、請求項７に記載の物体保持および表示システム。
【請求項１１】
コード接続区域は、閾値を超える引張力が加わると、コードがベース部分品から外れるように構成される、請求項１に記載のモジュール式取付システム。
【請求項１２】
ベース部分品が取付部分品に対して回転自在である、請求項１に記載のモジュール式取付システム。
【請求項１３】
ベース部分品対合区域がスイベル柱を備える、請求項１２に記載のモジュール式取付システム。
【請求項１４】
取付部分品対合区域が周囲カラーを備える、請求項１３に記載のモジュール式取付システム。
【請求項１５】
スイベル柱を周囲カラーで保持することにより、ベース部分品が取付部分品に係合される、請求項１４に記載のモジュール式取付システム。
【発明の詳細な説明】
【０００１】
【発明の属する技術分野】
本発明は物体の保持および／または表示用の取付システムを指向する。特に、本発明は例えば帽子、ＩＤバッジ、および同様の物体などの種々の物体の保持および表示に使用するモジュール式取付システムを提供する。
【０００２】
【従来の技術】
帽子、バッジ、笛、鍵などの物体を保持および表示するシステムが知られている。このようなシステムは通常、人が首または手首に巻いて着用するコードまたは同様の線タイプの材料を備える。コードには種々の物体を保持するワニ口クリップまたはフックなどの取付ピースが取り付けられている。例えばワニ口クリップの場合は、表示するバッジまたは他の物質をワニ口クリップで固定することができる。また、フックの場合は、笛や鍵をフックに取り付けることができる。
【０００３】
【発明が解決しようとする課題】
これらの保持／表示システムは、システムごとに１タイプの取付部片に必然的に限定されるという点で、融通性がない。したがって、バッジの表示システムを提供し、帽子キーパーも提供しようとする製造業者は、目的ごとに完全に別個のシステムを製造する必要がある。このように、製造業者は特定のタイプの表示／保持システムの需要に対して、柔軟に対応することができない。
【０００４】
【課題を解決するための手段】
本発明は、異なる取付部分品を単一のベースとコードの組合せと一緒に使用することができるモジュール式取付システムを提供する。取付部分品（例えばクリップ・フックまたはグリッパ）を、ベース部分品に結合して保持および／または表示機能を実現する。複数の取付部分品をベース部分品と一緒に使用することができるので、表示／保持システムに、種々の状況で使用する融通性を提供することができる。
【０００５】
例証的な実施例では、本発明の取付システムはベース部分品と取付部分品を備える。ベース部分品は２つの部片で構築することができ、これは連結して、２つの部片を互いに固定すると、取付部分品をベース部分品に固定することができ、コードをベース部分品を固定することができる。ベース部分品を取付部分品に対合する例証的な手段は、例えば拡大したキャップを伴うスイベル柱によって提供することができ、ここでスイベル柱はベース部分品内の周囲のカラーと噛み合う。この形状によって、保持／表示される物体の自由回転という追加の利点も得られる。コードをベース部分品に結合する例証的な手段には、例えばかしめアーム、多分岐部材、および多歯部材なども設ける。
【０００６】
本発明の取付部分品は、グリッパまたはクリップ・フックを備えることができるが、他のタイプの取付部分品も可能である。ベースおよび取付部分品は、適切な材料で形成することができる。軽量で美的にも快いので、成形プラスチックが好ましい。
【０００７】
【発明の実施の形態】
本発明による取付システムを図１ないし図１３に示すことができ、それは本発明の例証的な実施例を示す。取付システム１は、物体を保持するシステム１００の一部としてコード２に接続される。取付システム１はベース部分品４と取付部分品６を含む。図１ないし図３の場合、取付部分品６はグリッパ要素１０１（以下で説明）であるが、他のタイプの取付部分品をベース部分品４と組み合わせて使用できることは明白である。取付部分品６は、布地をしっかり把持するよう、布地と噛み合った状態で図示されている。
【０００８】
図２は例証的な実施例をさらに詳しく示す。例証的なベース部分品４は、頂部部片８と底部部片１０を備える。図示のように、頂部部片８と底部部片１０は閉じた位置で連結し、ベース部分品４を形成する。コード接続区域１２はベース部分品４の頂部端１４に位置し、従ってコード２はベース部分品４に結合する。コードの結合は、例えば頂部部片８と底部部片１０の連結によって生じたかしめによって達成される。以下で述べるように、そして当業者には明白なように、コード２をベース部分品４に取り付ける可能性も利用できる。
【０００９】
ベース部分品４の底部端１６は、取付部分品対合区域１８を含む。図２で示すように、例証的な取付部分品対合区域１８は、周囲カラー構成を備える。つまり頂部部片８と底部部片１０が形成されて、狭い開口部と開口部の背後のそれより大きい空間とを生成する。周囲カラー構成は、これによって、頂部部片８と底部部片１０が閉位置で連結すると、例えば拡大したキャップを有するスイベル柱を受けて、これを固定することができる。
【００１０】
頂部部片８と底部部片１０は、閉位置で互いに接合されると連結する。連結は、連結機構２０を介して達成することができる。連結機構２０は、以下の説明で概ね明白になるように、種々の形態をとることができる。例えば、図２に示し以下で詳細に述べるように、連結は、かしめアーム３０の端部に負の角で傾斜する縁面３１を設けることによって達成することができる。
【００１１】
ベース部分品２は、種々の形状で実施することができる。以下で、そのような形状３種類について述べる。当業者には理解されるように、例えばコード接続区域１２、取付部分品対合区域１８および連結機構２０を形成するのに使用する特定の構造は、通常、他の任意の構成とともに使用することができる。したがって、以下の例は利用できる種々の実施例の幾つかを示すものである。
【００１２】
例えば、ベース部分品４は、図５（および図１および図２）で詳細に示すように構成することができ、それは回転式に底部部片１０と結合する頂部部分品８を含む。したがって、図５では、コード接続区域１２は、頭部部片８の頂部端１４から頂部部片８に対してほぼ垂直に、底部部片１０に向かってまっすぐ延在するかしめアーム３０から形成される。回転機能を実現するため、ピン３２がかしめアーム３０の各側部から横方向に延在し、底部部片１０の各側壁３６に形成された孔３４と噛み合う。取付部分品対合区域１８は、例えば包囲カラーとして、部分的に頂部部片８（これは半円形の切欠き３８を含む）、部分的に底部部片１０（対応する半円形の切欠き３８を含む）によって形成される。裏当て部材３９は、底部部片１０から周囲カラーの背後を十分な距離だけ延在し、これによって、例えばスイベル柱（図２）がこの２つの間に規定された空間を占有することができる。このように、裏当て部材３９はスイベル柱の垂直動作を防止するブロックを提供する。
【００１３】
連結は、かしめアーム３０の端に形成され、底部部片１０と対面し、負の角で傾斜する縁面３１で達成される。以下でさらに述べるように、頂部部片８を閉位置に移動させると、かしめアーム３０がコード２と衝突する。負の角で傾斜した縁面３１によって、ピン３２の支点効果で頂部部片８に下方向の力がかかると、コード２の抵抗力が実現できる。また、コード２に何らかの引っ張り力がかっても、ピン３２の支点効果によって、負の角で傾斜する縁面３１が頂部部片８にかかる下向きの力に変換する。
【００１４】
開位置では、頂部部片８は底部部片１０から垂直方向に延在し、したがってかしめアーム３０が底部部片１０に平行に延在して、例えばコード２がコード接続区域１２に入ることができる。頂部部片８を回転して閉位置にすると、かしめアーム３０がコード接続区域１２内のコード２に衝突し、したがってベース部分品４とコード２との間に摩擦接続を生成する。また閉位置で、頂部部片８と底部部片１０は周囲カラーを形成し、例えば取付部分品６からのスイベル柱と噛み合う（図２参照）。頂部部片８と底部部片１０との連結は、コード２が負の角で傾斜する縁面３１にかける抵抗力によって達成される。
【００１５】
ベース部分品４の第２の構成を図１２に示し、これは頂部部片８を開位置では底部部片１０から離れた状態で示す。図５に示した構成と同様に、取付部分品対合区域１８は、例えば一部は半円形の切欠き３８として頂部部片８に、一部は対応する半円形の切欠き３８として底部プレート１０に形成された周囲カラーを備える。コード接続区域１２は、頂部部片８から底部部片１０に向かって延在する二股部材４２と、一部は底部部片１０から頂部部片８に向かって延在する対向部材（図示せず）として形成される。頂部部片８と底部部片１０との連結を達成するために、頂部部片８と底部部片１０にはスナップ部材４０を設ける。これらのスナップ部材４０は、頂部部片８と底部部片１０の対応する連結穴４４と噛み合う。
【００１６】
頂部部片８と底部部片１０が噛み合って閉位置で連結すると、二股部材４２と対向部材（図示せず）が、例えばコード接続区域１２に挟まれたコード２をかしめる作用をし、これによって底部部分品４をコード２に結合する。切欠き３８によって形成された周囲カラーは、例えば取り付け部分品対合区域１８に挟んだスイベル柱によって、取付部分品６をベース部分品４に結合する。
【００１７】
ベース部分品４の第３の構成を図１３に示し、これは、例えば底部端１６で頂部部片８と底部部片１０との両方に共通する材料の薄層などから形成された蝶番４６によって、底部部片１０に接続された頂部部片８を示す。この構成の利点は、頂部部片８と底部部片１０が成形プロセスで単一要素として形成できることである。図１３のベース部分品４は、この場合も頂部部片８と底部部片１０との対向する半円形の切欠き３８によって形成される取付部分品対合区域１８を示す。この例では、裏当て部材３９は、頂部部片８から延在する頂部裏当て部片４７と、底部部片１０から延在する底部裏当て部片４９とによって達成される。連結機構２０は、底部部片１０の連結穴４４と噛み合う頂部部片８上のスナップ部材４０によって達成される。コード接続区域１２は、底部部片１０から延在する多歯部材４８と頂部部片８から延在する対向部片５０として形成される。
【００１８】
頂部部片８と底部部片１０を折り曲げて閉位置にすると、スナップ部材４０が連結穴４４と噛み合って、頂部部片８と底部部片１０を閉位置で連結する。多歯部材４８と対向部材５０は、例えばコード接続区域１２に挟まれたコード２などをかしめる作用をし、これによってベース部分品４をコード２と結合する。切欠き３８によって形成された周囲カラーは、例えば取り付け部分品対合区域１８に挟まれたスイベル柱などによって、取付部分品６をベース部分品４に結合する。
【００１９】
前述した構成それぞれのコード接続区域１８は、さらに過度に強い力がコード２にかかった場合の安全解除部を設けるよう構成することができる。このような構成は、システムが絡まった場合に物体保持／表示システムの着用者が傷付くのを防止することができ、例えば首の周囲に着用したバッジが機械類や車のドア、スキーのリフトなどに引っかかった場合に絞殺される可能性を防止する。例えば、かしめアーム３０、分岐部材４２および多歯部材４８は、コードとの概ね円形の接触区域を有することができ、したがって閾値の「引っ張り」負荷を超えると、コード２がベース部分品４から滑り出すことができる。
【００２０】
次に取付部分品６を見ると、取付部分品６は、頂部端２２にベース部分品対合区域２０を、底部端２９に取付機構２８を含む。図２に示すように、例証的なベース部分品対合区域２０は、拡大したキャップ２６を有するスイベル柱２４を備える。これによって（ベース部分品４の頂部部片８と底部部片１０が閉位置で連結すると）取付部分品６をベース部分品４に取り付けて、取付システム１を形成することができる。スイベル柱２４の追加の利点は、取付部分品６が自由に回転でき、したがって保持／表示する物体を必要に応じて旋回させることができる。
【００２１】
本発明による取付システムのモジュールという性質により、ベース部分品４とともに種々の取付部分品６を使用することができる。以下で、２つの可能な取付部分品６、つまりグリッパおよびクリップ・フックについて述べるが、当業者には認識されるように、物体保持システムまたは物体表示システムの一部として適切な取付システムを設ける過程で、他の取付部分品を実現してもよい。
【００２２】
図１ないし図４で示すように、取付部分品６はグリッパとして実現してもよい。例証的なグリッパの詳細を図４に示し、これはベース部分１２と、ベース部分品対合区域１０４（スイベル柱２４として実現）と、ロック・アーム１１０とを備える。把持機能は、ベース部分１０２の把持区間１０６とロック・アーム１１０との相互作用によって、把持区域で達成される。把持区間１０６は、下方延長部１１２と上方延長部１１３を含み、それぞれ外方向に延在して概ねＵ字形の溝１１４を規定する。上方延長部１１３は間隔をあけて、各上方延長部１１３の間に空隙１１５を形成する。Ｕ字形溝１１４は、布地や他の可撓材料などの可撓製品を受けるようなサイズになっている（図１参照）。下方延長部１１２は、例えばグリッパ１０１の全幅を有し、可撓製品をＵ字形溝１１４内で把持するために、例えば鋸歯状の内面１１７を有する。例えば、鋸歯状面１１７は、少なくとも１つの隆起１１８を備えて、グリッパ１０１がロック位置にあるときに布地を把持することができる（下記参照）。
【００２３】
ロック・アーム１１０は、回転可能な状態でベース部分１０２に装着され、ロック・アーム突起１１１が設けられる。ロック・アーム１１０は回転可能な状態で、図４に示すようなロックしていない第１位置から、図１および図２に示すような第２またはロック位置へと動くことができる。ロック・アーム１１０を第１または非ロック位置から第２またはロック位置へと選択的に回転可能な状態で動かすために、手段を設ける。例えば、図１、図２および図４で示す例証的な実施例では、ロック・アーム１１０を非ロック位置からロック位置へ動かす手段は、把持区間１０４の上方延長部１１３間の空隙１１５とロック・アーム１１０の対応する連結空隙１１６とに配置された円筒形要素１１９を備える。ロック・アーム１１０は、例えば「スナップ留め」式取付によって、連結空隙１１６を介した取付によって円筒形要素１１９に装着される。回転可能な状態で取り付けるため、他の同様の手段を代わりに使用してもよい。
【００２４】
ロック・アーム１１０を非ロック位置に配置すると、下方延長部１１２の鋸歯状面１１７とロック・アーム突起１１１との間に開放クリアランスが存在する。開放クリアランスは、例えば可撓材料の部片をＵ字型溝１１４に出し入れできるのに十分である。ロック・アーム１１０を回転してロック位置にすると、下方延長部１１２の鋸歯状面１１７との間にロック・クリアランスを提供する。ロック・クリアランスは開放クリアランスより小さく、これによってロック・アーム突起１１１が例えばＵ字形溝１１４に配置された可撓材料に、材料をベース部分１０２のＵ字形溝１１４に固定するのに十分な量、衝突する。ロック・アーム突起１１１は、可撓材料をグリッパ１００から離れる方向に引っ張ると、ロック・アーム突起１００にかかった力によってロック・アーム１１０がロック位置に押しやられるようなサイズにされ、そのように配置される。同様に、鋸歯状面１１７の少なくとも１つの隆起１１８は、可撓材料を引っ張ると少なくとも１つの隆起が追加の把持抵抗を提供するよう配置される。したがって、強力な接続を確立することができる。
【００２５】
本発明をさらに詳しく説明し、図示するため、次に例証的な実施例の使用を帽子（例えば野球帽）と組み合わせて説明する。このような使用は、例えば風のある環境で必要となることがあり、（例えばランニングやサイクリングで）帽子が人の頭から吹き飛ばされたり、地面に落下するのを防止することが望ましい。取付部分品６（例えばグリッパ１０１として実現される）を使用して、例えば帽子の後部などの適切な位置で帽子を把持することができる。次に、物体保持システム１００のコード２を人の首にかける。その後、帽子が人の頭部から吹き飛ばされると、取付システム１による取付が帽子を把持し、首にかけたコード２は、帽子が地面に落下したり、着用者が制御しきれないようとばされたりするのを防止する。したがって、物体保持システム１００は、帽子がなくなるのを防止する。
【００２６】
取付部分品６は、例えばクリップ・フックによっても実現することができる。例証的なクリップ・フックを図６ないし図８および図１１に示す。クリップ・フック２００は、フック区間２０２と、ベース部分品対合区域２０４（例えばスイベル柱２４として実現される）と、クリップ区間２０６を備える。ベース部分品対合区域２０４は、クリップ・フック２００をベース区間２に結合し、それによって取付システム１を形成するために、ベース部分２の取付区間対合区域１８と噛み合うことができる。
【００２７】
クリップ区間２０６は、可撓部材として実現され、ベース部分品対合区域２０４から延在して、挿入点２０８でフック区間２０２と接触する。したがって、フック・クリップ２００を、例えば鍵用リング、ＩＤバッジまたは笛などの物体と噛み合わせるには、物体を挿入点２０８から押し込んで、クリップ区間２０６が撓むようにするだけでよい。挿入点２０８を通過するほど物体をフック・クリップ２００に十分挿入すると、フック・クリップ２０６が元の位置に戻ってフック区間２０２と接触し、したがって物体をフック・クリップ２００内に固定する（図８参照）。
【００２８】
以上の明細書では、本発明をその特定の例証的な実施例に関して述べてきた。しかし、請求の範囲で述べる本発明のより広い精神および範囲から逸脱することなく、種々の変形および変更ができることが明白である。したがって、明細書および図面類は制限的な意味ではなく例証的なものと見なすものとする。
【図面の簡単な説明】
【図１】本発明による取付システムの例証的実施例の斜視図である。
【図２】図１の線２−２に沿った本発明による取付システムの断面図を示す。
【図３】図２の線３−３に沿った本発明の取付システムの断面図を示す。
【図４】本発明による取付部分品としての例証的なグリッパ要素の斜視図である。
【図５】本発明による第１の例証的ベース部分品の開位置での斜視図を示す。
【図６】本発明による、取付部分品としての例証的なクリップ・フックの斜視図を示す。
【図７】本発明による、取付部部品としてクリップ・フックを使用する例証的な取付システムの斜視図を示す。
【図８】本発明による、取付部分品としてクリップ・フックを使用し、コードおよび物体と噛み合う例証的な取付システムの斜視図を示す。
【図９】線９−９に沿った図８のベース部分品の断面図を示す。
【図１０】線１０−１０に沿った図８のベース部分品の断面図を示す。
【図１１】線１１−１１に沿った図８の例証的な取付システムの断面図を示す。
【図１２】第２の例証的なベース部分品の斜視図を示す。
【図１３】第３の例証的なベース部分品の斜視図を示す。
【符号の説明】
１    取付システム
２    コード
４    ベース部分品
６    取付部分品
８    頂部部片
１０    底部部片
１２    コード接続区域
１４    頂部端
１８    取付部分品対合区域
２０    連結機構
２２    頂部端
２４    スイベル柱
２８    取付機構
２９    底部端
３０    かしめアーム
３１    負の角で傾斜した縁面
３２    ピン
３４    嵌合穴
３６    側壁
３８    切欠き
３９    裏当て部材
４０    スナップ部材
４２    二股部材
４４    連結穴
４８    多歯部材
５０    対向部材
１００    物体保持システム
１０１    グリッパ
１０２    ベース部分
１０４    ベース部分品対合区域
１０６    把持区間
１１０    ロック・アーム
１１１    突起
１１２    下方延長部
１１３    上方延長部
１１４    Ｕ字形溝
１１５    空隙
１１６    連結空隙
１１７    内面
１１８    隆起
１１９    円筒形要素
２００    クリップ・フック
２０２    フック区間
２０４    ベース部分品対合区域
２０６    クリップ区間
２０８    挿入点
【図１】
0004336909.tif 000002
【図２】
0004336909.tif 000003
【図３】
0004336909.tif 000004
【図４】
0004336909.tif 000005
【図５】
0004336909.tif 000006
【図６】
0004336909.tif 000007
【図７】
0004336909.tif 000008
【図８】
0004336909.tif 000009
【図９】
0004336909.tif 000010
【図１０】
0004336909.tif 000011
【図１１】
0004336909.tif 000012
【図１２】
0004336909.tif 000013
【図１３】
0004336909.tif 000014